(57)【要約】【課題】顔面の美容に際し、個人差による目，口等の位置の違い（五官の差）があっても各当事者が手際良く快適に顔面の美容を成し得る顔面用美容マスクを提供すること。【解決手段】美容用の液体を含浸させた顔面美容用のマスク面体１と、このマスク面体１の周囲端縁１Ａの複数カ所に設けた内側に向かう切り込み線２，３，４とを備え、前記マスク面体１上で人の目，鼻，口に対応する各位置に切り込み線１１Ａ，１１Ｂ，１２Ａ，１３Ａを設けると共に、前記切り込み線の内、前記口に対応する位置の切り込み線１３Ａを、横方向切り込み線１３ａと，当該横方向切り込み線１３ａの両端部に当該横方向切り込み線に連通する縦方向切り込み線１３ｂ，１３ｃ，とにより構成したこと。【選択図】図１
0003138269.tif 000002
【実用新案登録請求の範囲】
【請求項１】
美容用の液体を含浸させた顔面美容用のマスク面体と、このマスク面体の周囲端縁の複数カ所に設けた内側に向かう切り込み線とを備えて成る顔面美容マスクにおいて、
前記マスク面体上で人の目，鼻，口に対応する各位置に切り込み線を設けると共に、
前記切り込み線の内、前記口に対応する位置の切り込み線を、横方向切り込み線と，当該横方向切り込み線の両端部に当該横方向切り込み線に連通する縦方向切り込み線と，により構成したことを特徴とする顔面用美容マスク。
【請求項２】
前記請求項１に記載の顔面用美容マスクにおいて、
前記切り込み線の内、前記目に対応する位置の切り込み線を下側が開放された逆Ｕ字状の切り込み線とすると共に、前記鼻に対応する位置の切り込み線を上側が開放されたＵ字状の切り込み線としたことを特徴とする顔面用美容マスク。
【請求項３】
前記請求項１に記載の顔面用美容マスクにおいて、
前記切り込み線の内、前記目に対応する位置の切り込み線を、長軸を横方向に配した楕円形状の輪郭線で且つ下方中央領域の輪郭線部分が省略された半楕円形状の切り込み線としたことを特徴とする顔面用美容マスク。
【請求項４】
前記請求項１，２又は３に記載の顔面用美容マスクにおいて、
前記マスク面体上の左右両端縁部分に、前記マスク面体の下方部分が外側に向けて広がる方向の段部を設けると共に、
前記マスク面体上における前記口に対応する位置の左右両端部の幅を、前記目に対応する位置の左右両端部の幅よりも大きく設定したことを特徴とする顔面用美容マスク。
【請求項５】
前記請求項１，２，３又は４に記載の顔面用美容マスクにおいて、
前記マスク面体の周囲端縁で当該マスク面体の上方領域に位置する部分の少なくとも二箇所に、複数の突出部としてのみみ部を設け、この各みみ部を前記マスク面体の縦方向の中心線に対して左右非対象に配設したことを特徴とする顔面用美容マスク。
【考案の詳細な説明】
【技術分野】
【０００１】
本考案は、顔面用美容マスクに係り、特に乳剤等の美容用の液体を含浸させてなるシート状の顔面用美容マスクに関する。
【背景技術】
【０００２】
従来より、不織布を素材としたコットンシートに美容用の液体を含浸させた顔面用美容マスクとしては、種々のものが考案されている。
図４に従来例を示す。この図４に示す従来例は、全体が円板状に形成されたマスク面体１０１を主体とし、使用者の目および口に対応する箇所には、例えば横方向に長軸を備えた例えば楕円形状の貫通穴１０２，１０３が形成され、当該マスク使用者の目および口に美容液が触れないように工夫されている。又、鼻に対応する部分には、鼻の輪郭線に沿ってＵ字状の切り込み線１０４が形成され、これによって、使用時には鼻部分が外気に連通可能な構造となっている。
【０００３】
この図４で、符号１１１，１１２，１１３は、マスク面体１０１の図４に於ける左端部に所定間隔を隔てて形成された切り込み線を示す。マスク面体１０１の右端部にも、その対称位置に同等の切り込み線が形成されている。
【０００４】
又、この図４に記載のものに関連した美容マスクが、特許文献１及び２に開示されている。この内、特許文献１のものは美容液の変質防止を意図したものであり、特許文献２のものは繰り返し使用を意図したものとなっている。
【特許文献１】特開平１１−４６８５８号
【特許文献２】実用新案登録第３１１８３９５号
【考案の開示】
【考案が解決しようとする課題】
【０００５】
しかしながら、上記従来技術にあっては、例えば図４の場合、実際の使用に際しては呼吸および会話に支障を来さないように美容マスクを使用することから、多くの場合、口の位置を基準として顔面に美容マスクを密着させる。このため、人によっては、目の位置が美容マスクの目の位置とはづれてしまい、目を開いた状態での顔面美容に支障をきたすこととなり、汎用性に欠けるという不都合があった。
【０００６】
これに対し、上記不都合を解消するため、多くの場合、上述した楕円形状の貫通穴１０２，１０３の大きさを必要以上に大きくして何人も共通に使用可能とする手法が採られている。
しかしながら、かかる手法によると、使用に際して目の回り又は口の回りに、マスク面体１０１に覆われない空き面領域が発生し、顔面全体を対象とした美容に際しては支障を来すという不都合が生じている。
（考案の目的）
【０００７】
本考案は、上記従来技術の有する不都合を改善し、特に、顔面の美容に際しては個人差による上記不都合を排除して各当事者が手際良く快適に顔面の美容を成し得る顔面用美容マスクを提供することを、その目的とする。
【課題を解決するための手段】
【０００８】
上記目的を達成するため、本考案にかかる顔面用美容マスクは、美容用の液体を含浸させた顔面美容用のマスク面体と、このマスク面体の周囲端縁の複数カ所に設けた内側に向かう切り込み線とを備えて成る顔面用美容マスクであって、前記マスク面体上の人の目，鼻，口に対応する各位置に切り込み線を設けると共に、前記切り込み線の内、前記口に対応する位置の切り込み線を、横方向切り込み線と，当該横方向切り込み線の両端部に当該横方向切り込み線に連通する縦方向切り込み線と，により構成したことを特徴とする。
【０００９】
ここで、前述した切り込み線の内、前記目に対応する位置の切り込み線を下側が開放された逆Ｕ字状の切り込み線とすると共に、前記鼻に対応する位置の切り込み線を上側が開放されたＵ字状の切り込み線としてもよい。
【００１０】
或いは、前述した切り込み線の内、前記目に対応する位置の切り込み線を、長軸を横方向に配した楕円形状の輪郭線で且つ下方中央領域の輪郭線部分が省略された半楕円形状の（目の上瞼に沿った線分と同等の線分から成る）切り込み線としてもよい。
【００１１】
又、前述したマスク面体上の左右両端縁部分に、外側に向けて広がる方向の段部を設け、前記マスク面体上における前記口に対応する位置の左右両端部の幅を、前記目に対応する位置の左右両端部の幅よりも大きく設定した構成としてもよい。
【００１２】
更に、前述したマスク面体の周囲端縁で当該マスク面体の上方領域に位置する部分の少なくとも二箇所に、複数の突出部としてのみみ部を設け、この各みみ部を前記マスク面体の縦方向の中心線に対して左右非対象に配設した構成としてもよい。
【考案の効果】
【００１３】
本考案は上述したように構成したので、これによると、目と口との位置関係に個人差があっても、これに対応して口部を構成する縦方向切り込み線が有効に機能して目の位置に合わせて口の位置を自在に設定することができ、前記マスク面体に含侵された美容液を口周囲はもとより顔面全体に円滑にしかもソフトに塗布することができるという汎用化された従来にない優れた顔面用美容マスクを提供することができる。
【考案を実施するための最良の形態】
【００１４】
以下、本考案の一実施形態を図１乃至図３に基づいて説明する。
まず、図１に本実施形態にかかる顔面用美容マスク５０の全体図を示す。又、図２は、図１の顔面用美容マスク５０を説明する関係上、マスク全体を、その鼻部分の下に原点ＯをおいてＸーＹ座標上に配置した状態を示す。
【００１５】
これらの図において、顔面用美容マスク５０は、美容用の液体を含浸させる顔面美容用のマスク面体１と、このマスク面体１の周囲端縁１Ａの複数カ所に設けた内側に向かう切り込み線２，３，４とを備え、乳液等の美容用の液体を含浸させて使用されるようになっている。
【００１６】
ここで、マスク面体１は、長短種々の繊維質から成る不織布を素材としたコットンシートにより形成され、美容液を含浸させた場合に、その吸湿性および含浸させた美容液の放出性が比較的良好なものが、予め選定使用されるようになっている。又、このマスク面体１については、額から顎に至る縦方向の線に対し、コットンシートの生地目を横目にとって全体を加工形成し、後述する目部，鼻部，および口部等の位置および形状を特定し、使い易いように配慮されている。
【００１７】
又、上記切り込み線２，３，４の内、切り込み線２は、マスク面体１の下端部中央の端縁から図２に示すＹ軸に沿って上方向に向けて形成されている（図２参照）。又、切り込み線３，４は、マスク面体１の図２における下端部の左右にあって、前記Ｙ軸に対して線対象の位置に形成されている。これらの各切り込み線３，４の切り込み長さは、具体的には後述するが、マスク面体１の口部１３に達しない範囲の長さに設定されている。
【００１８】
美容マスク使用者の目，鼻，及び口の各位置（以下「５官位置」という）に対応する前記マスク面体１上に設定される一対の目部１１，鼻部１２，及び口部１３の各位置に、当該各目部１１，鼻部１２，及び口部１３を特定するための切り込み線１１Ａ，１１Ｂ，１２Ａ，及び１３Ａ（１３ａ，１３ｂ，１３ｃ）が設けられている。そして、この切り込み線１１Ａ，１１Ｂ，１２Ａ，及び１３Ａ（１３ａ，１３ｂ，１３ｃ）によって、上記マスク面体１上に、一対の目部１１，１１，鼻部１２，及び口部１３の各形状が特定されるようになっている。
【００１９】
前記マスク面体１上の各目部１１，１１は、それぞれ長軸を横方向に配した楕円形状の輪郭線で且つ下方中央領域の輪郭線部分が省略された形態の半楕円形状に、前述した各切り込み線１１Ａ，１１Ｂによって形成され、これによって設定される前記一対の各目部１１，１１が、図２に示すＹ軸に対して線対称の位置に設定されている。この切り込み線１１Ａ，１１Ｂは、換言すると、人の目の上側の瞳ラインに沿った線分を主体として、下側の瞳ラインの左右両端部に沿って一部切り込んだ形態の切り込み線を構成している。
【００２０】
この各目部１１，１１については、実際の使用に際しては、上記切り込み線１１Ａ，１１Ｂによって内包された領域を、図３（Ｃ）に示すように下方に向けて曲折して使用される。このため、使用者は、使用時の目隠し状態から開放され、同時に目の下側部分のマスク面体１が目に沿って二重に設置され、目の下側部分及び目尻にかかるシワに対する乳液の補充がより充分に行われることとなり、当該箇所における美容効果をより高めることができるようになっている。
【００２１】
又、上記マスク面体１上の前述した鼻部１２を形成する切り込み線１２Ａは、鼻の輪郭線に沿ってＵ字状に形成されている。このため、使用時には、使用者側の鼻部分によって、鼻部１２の図１における下端部側が内側から外側に押し出される。これにより、使用時には、鼻部１２の内側が外気に連通され、使用者にとって呼吸可能な状態となる。
【００２２】
更に、マスク面体１上の前述した口部１３を構成する切り込み線１３Ａは、使用者である人の口に対応する位置に形成された横方向切り込み線１３ａと、当該横方向切り込み線１３ａの両端部に当該横方向切り込み線１３ａに連通する縦方向切り込み線１３ｂ，１３ｃとにより構成されている。この場合、横方向切り込み線１３ａはその両端部の先端がそれぞれ縦方向切り込み線１３ｂ，１３ｃの中央部に当接してＴ字状の形態となっており、これによって、切り込み線１３Ａは、全体的には、横方向切り込み線１３ａ部分が縦方向切り込み線１３ｂ，１３ｃよりも長いＨ字状若しくはこれに近い形態の切り込み線となっている。
【００２３】
このため、使用時に、マスク面体１の前述した目部１１に使用者の目の位置を合わせた場合に、使用者の口の位置が口部１３の横方向切り込み線１３ａとは上下方向にずれても、縦方向切り込み線１３ｂ，１３ｃが有効に機能して、口部１３の上側又は下側のマスク面体１部分を外側に向けて曲折することができるので、口部１３の内側を外気に連通することが可能となる。このため、本実施形態にかかる顔面用美容マスクは、かかる点において、使用者の５官の相違に対しても充分に対応することができるという汎用性に富んだ顔面用美容マスクとすることができる。
【００２４】
又、前述したマスク面体１上の左右両端縁部分には、当該マスク面体１の左右下方部分が外側に向けて拡張された状態に設定するための段部１Ｅ，１Ｆが設けられている。そして、この段部１Ｅ，１Ｆによって、図２の左右に拡張された前記マスク面体１上における前記口部１３を含む領域の左右両端部の幅Ｓ２  が、前記目部１１の位置する顔面領域の左右両端部の幅Ｓ１  よりも、大きく設定されている。
【００２５】
更に、前述したマスク面体１の周囲端縁で当該マスク面体１の上方端部（人の頭部に対応する側）に位置する部分の少なくとも二箇所に、複数の突出部としてのみみ部２１，２２が設けられている。この各みみ部２１，２２は、前記マスク面体１の縦方向の中心線Ｙ軸（図２参照）に対して、左右非対象に当該マスク面体１の頭部側の端縁に配設されている。この図２において、角度α，βは、ＸーＹ座標上における原点Ｏを基準としたみみ部２１，２２の配設位置を示す。本実施形態では、α＝２７°、β＝３９°に設定したが、この角度については、どのような角度であってもよい。
【００２６】
これにより、美容液が含侵され折り畳んで密封された美容マスク５０を、密封袋である小型の防水袋から取り出して使用するに際しては、マスク面体１の二つのみみ部２１，２２が重なることは無いので、広げ易く且つ使用し易いという利点がある。
ここで、上記各みみ部２１，２２の形状については、本実施形態では、図１に示すように同一の半円形状によって形成したが、相互に異なった形状であってもよい。
【００２７】
又、このマスク面体１の大きさは、本実施形態では、例えば図２のＹ軸に沿った上下方向の長さ（下端縁から上端縁までの顔面部分の長さ）が約２２〔ｃｍ〕に設定され、図２の左右方向の幅（顔面部分の幅）が鼻部１２を含む領域で約２２〔ｃｍ〕、段部１Ｄにより拡張された部分で約２４〔ｃｍ〕に設定されている。更に、前述した切り込み線２，３，４については、その切り込み長さがそれぞれ約３．５〔ｃｍ〕に設定されている。尚、この数値は一例であり、本実施形態は本考案をこれに限定するものではない。
【００２８】
そして、このように形成されたマスク面体１を主体とする美容マスク５０は、これに含侵される美容用の乳液等の液体の関係で、当該液体が離脱しないように折り畳んだ後、平坦で小型の防水袋に収納され密封された状態で取り扱われる。このため、使用に際しては防水袋を開封して中から折り畳まれた状態の美容マスク５０を上述したように広げてから顔面に付される。
【００２９】
ここで、前述した口部１３については、全体的には、横方向切り込み線１３ａ部分が縦方向切り込み線１３ｂ，１３ｃよりも長いＨ字状若しくはこれに近い形態の切り込み線とした場合を例示したが、本発明は口部１３の切り込み線のパターンを必ずしもこれに限定するものでは無い。例えば、縦方向切り込み線１３ｂ，１３ｃは、図２に示すＹ軸に平行でなくてもよい。この縦方向切り込み線１３ｂ，１３ｃについては、左右対称の「く」又は「逆く」の組合せでも、或いは「ハ」の字状であってもよい。又、この口部１３の切り込み線１３Ａについては、全体的には下方が開放された逆Ｕ字状であってもよい。
【００３０】
ここで、上述した目部１１および鼻部１２を構成する切り込み線１１Ａ，１１Ｂ，１２Ａの内、前記目に対応する位置の切り込み線１１Ａ，１１Ｂを単純に下側が開放された横長の逆Ｕ字状の切り込み線とすると共に、前記鼻に対応する位置の切り込み線１２Ａを上側が開放されたＵ字状の切り込み線としても良い。
【００３１】
次に、図３に基づいて上記美容マスク５０の使用方法とその機能について説明する。
まず、上述したように、美容液が含侵され折り畳んで密封された美容マスク５０を、密封袋である小型の防水袋から取り出す。この場合、美容マスク５０は、その主体であるマスク面体１が、図２に示すＹ軸に沿って，又Ｘ軸に沿って折り曲げられた後、密封されていることから、その逆の順序でゆっくりと広げる。この際、みみ部２１，２２が別々に突設してあるので、能率良く保持し且つ広げることができる（図３（ａ）ステップ１）。
【００３２】
続いて、広げた美容マスク５０の額部分のみみ部１Ｍ，１Ｎを両手で持って、使用者の目の形に合わせつつ顔にのせる。この際、鼻部１２および口部１３、更には側面部分の切り込み線２，３，４を使って、顔にフィットさせる（図３（ｂ）ステップ２）。
【００３３】
次に、目の部分は、切り込み線１１Ａ，１１Ｂによって内包された領域を下方に向けて曲折し、瞼若しくは目元下部に重ねた状態に設定する。
これにより、瞼もしくはちりめんジワの気になる目の下を二重にカバーできるようになっている（図３（ｃ）ステップ３）。
【００３４】
更に、美容マスク５０の下部（顎の部分及び左右の頬の部分）は、前述した切り込み線２，３，４を利用し、広くなっている部分を横方向又は斜め下方に向けて（首にかけて）軽く引っ張って張りつけるように付す（図３（ｃ）ステップ４）。この場合、主体であるマスク面体１の生地目が前述したように横目に設定してあるので、強度的にもこの横方向及び斜め下方方向が強化された状態となっており、これがため、かかる場合の操作を容易に、しかも破損することなく円滑に、そして自在に成し得るという利点がある。
【００３５】
又、図３（ｃ）では、みみ部２１，２２は、折り曲げて使用されている状態を示す。
そして、使用する美容液にもよるが、このような状態で１０分前後おいてから、マスクを剥がし、手のひらでエッセンスを肌になじませる（図３（ｃ）ステップ５）。
【００３６】
本実施形態は以上のように構成され使用されるので、これによると、マスク面体１を手に持って顔に付着可能なみみ部２１，２２を設けたので、扱い易くなり、マスク面体１の左右の端部から下部へ向けての拡張領域と適度のスリット（切り込み線２，３，４）を複数カ所に設けたので、フェイスライン（顔部）からアゴ部までの全体を確実に且つ効率良く覆うことが可能となり、各目部１１には上瞼を囲むようにして切り込み線１１Ａ，１１Ｂを設けたので、これを折り返して使用することにより、目の下側部分のマスク面体１が目に沿って二重に設置されるので、目の下側ライン及び目尻にかかるシワに対する美容液の補充がより充分に行われることとなり、当該箇所における美容効果をより高めることができる。
【００３７】
特に、口部１３を、前述したように横線部分を長くしたＨ字状若しくはこれに近い切り込み線１３Ａをもって構成したので、口の上下方向の位置の調整（即ち、唇の位置の調整）がし易くなり、同時に唇へのカバーも可能となり、かかる点において汎用性が一段と高められた顔面用美容マスクを得ることができる。
【産業上の利用可能性】
【００３８】
美容液に代えて所定の治療液を含侵させることにより医療分野にも、そのまま転用することができる。
【図面の簡単な説明】
【００３９】
【図１】本考案にかかる一実施形態を示す平面図である。
【図２】図１の構成内容を説明するための説明図である。
【図３】図１にかかる美容マスクを使用する場合の手順を示す図で、図３（ａ）は収納袋から取り出して折り畳んである状態から広げる場合の状態を示す説明図、図３（ｂ）は広げた美容マスクを顔に付す時の状態を示す説明図、図３（ｃ）は顔に付した美容マスクに位置を調整する場合の状態を示す説明図である。
【図４】従来例を示す説明図である。
【符号の説明】
【００４０】
１  マスク面体
１Ａ  周囲端縁
１Ｅ，１Ｆ  段部
２，３，４  切り込み線
１１  目部（目に対応する位置）
１１Ａ，１１Ｂ  切り込み線（目部を構成する切り込み線）
１２  鼻部（鼻に対応する位置）
１２Ａ  切り込み線（鼻部を構成する切り込み線）
１３  口部（口に対応する位置）
１３Ａ  切り込み線（口部を構成する切り込み線）
１３ａ  横方向切り込み線
１３ｂ，１３ｃ  縦方向切り込み線
２１，２２  みみ部
【図１】
0003138269.tif 000003
【図２】
0003138269.tif 000004
【図３】
0003138269.tif 000005
【図４】
0003138269.tif 000006